(57)【要約】【課題】使用寿命が長く、振動吸収構造の製造手間を大幅に省くことができるゴルフクラブヘッドを提供することを目的とする。【解決手段】ヘッド本体の打球する側のフェース部が開口してフェース板により被覆されてなる中空構造のクラブヘッドにおいて、前記フェース板は、複数のプレートを密着して重ねてなり、且つ前記複数のプレートにおける前記ヘッド本体の内側のプレートには打球側のプレート側に向かって肉厚が薄くなって窪んだ凹孔が設けられ、前記凹孔には打球の衝撃を緩衝するための振動吸収材が満たされていることを特徴とするゴルフクラブヘッドを提供する。【選択図】図１
0003126138.tif 000002
【実用新案登録請求の範囲】
【請求項１】
ヘッド本体の打球する側のフェース部が開口してフェース板により被覆されてなる中空構造のクラブヘッドにおいて、
前記フェース板は、複数のプレートを密着して重ねてなり、且つ前記複数のプレートにおける前記ヘッド本体の内側のプレートには打球側のプレート側に向かって肉厚が薄くなって窪んだ凹孔が設けられ、前記凹孔には打球の衝撃を緩衝するための振動吸収材が満たされていることを特徴とするゴルフクラブヘッド。
【請求項２】
前記フェース板は、打球側のフロントプレートと内側のリアプレートとにより密着して重ねてなり、
前記リアプレートには前記凹孔が所定の間隔をおいて複数仕切られてなり、前記振動吸収材が前記複数の凹孔の各々に対応して設けられていることを特徴とする請求項１に記載のゴルフクラブヘッド。
【請求項３】
前記複数の凹孔は、前記リアプレートのセンター突起と該センター突起から所定の間隔をおいた環状リブと該センター突起からの放射状リブとにより仕切られてなったことを特徴とする請求項２に記載のゴルフクラブヘッド。
【請求項４】
前記リアプレートのセンター突起としての仕切りは、前記フェース部におけるスイートスポットになる部位に対応して設けられていることを特徴とする請求項３に記載のゴルフクラブヘッド。
【請求項５】
前記リアプレートの放射状リブは、互いに直角に交わった一対のリブ状を有する仕切りリブとして形成されていることを特徴とする請求項３に記載のゴルフクラブヘッド。
【請求項６】
前記リアプレートの放射状リブは、互いに直角及び斜めに交わった放射状をなす複数の仕切りリブとして形成されていることを特徴とする請求項３に記載のゴルフクラブヘッド。
【請求項７】
前記フロントプレートのリアプレート側の後面から、前記リアプレートを取り囲むよう環状フランジが突出ていることを特徴とする請求項３に記載のゴルフクラブヘッド。
【請求項８】
前記リアプレートは、前記仕切りリブに第１の定位部が設けられており、
前記フロントプレートは、前記第１の定位部に対応して該第１の定位部と互いに結合することができるように構造される第２の定位部が設けられていることを特徴とする請求項７に記載のゴルフクラブヘッド。
【請求項９】
更に、前記リアプレートが挟持されるようにエンドキャップが前記フロントプレートと一体に設けられてなることを特徴とする請求項７に記載のゴルフクラブヘッド。
【請求項１０】
前記リアプレートとして、マグネシウム合金、アルミニウム−マグネシウム合金、アルミニウム合金、アルミニウム−スカンジウム合金のいずれか１の合金によりつくられていることを特徴とする請求項１に記載のゴルフクラブヘッド。
【請求項１１】
前記振動吸収材として、熱可塑性ポリウレタン、シリコーン、ゴム、軟質金属のいずれかによりつくられていることを特徴とする請求項１に記載のゴルフクラブヘッド。
【考案の詳細な説明】
【技術分野】
【０００１】
本考案は、ゴルフクラブヘッドに関し、特に打球時の振動、衝撃を吸収する効果が優れたゴルフクラブヘッドに関する。
【背景技術】
【０００２】
従来の金属製ウッドゴルフクラブヘッド１としては、図１０、１１に示すように、ヘッド本体１１の打球する側が開口１１１にされて、例えば溶接などにより打球のためのフェース板１２により該開口１１１に被覆してなる中空構造のものがある。この従来構造は、大幅に軽量化することができ、両手が受ける負荷が低減することができるが、打球時の振動を吸収する効果が薄く、フェース板１２に生ずる打球衝撃を直接ゴルファーの腕に伝えてしまい、ゴルファーの腕に運動傷害を来たし、ゴルフを楽しむことができなくなる。
【０００３】
振動吸収機能をそなえたクラブヘッドとしては、図１２に示すものがある（特許文献１）。このクラブヘッド２は、中空構造のヘッド本体２１の打球する側が開口２１１になっていて、例えば溶接によりフェース板２２が該開口２１１に被覆し、ヘッド本体２１内にはフェース板２２側の底部に空洞２３内に所定の粘性を有する半流動性の液体２４が満たされてなった振動吸収手段が設けられている。液体２４の粘性によって、クラブヘッドに加わる振動を減衰することができる。
【０００４】
しかしながら、このクラブヘッド２は、空洞２３内に満たされた液体の粘性によりフェース板２２に加わる衝撃を効果的に減衰することができるが、フェース板２２による衝撃が繰返し加わり、長期間使用につれて空洞２３が破損して液体２４が漏れる恐れがある。また、この振動吸収手段は液体２４の注入や、底部での溶接など構成の複雑化による製造の手間がかかりコストアップを招く。更に、所定の粘性をそなえた液体２４の慣性によりゴルファーのスイングの安定性に影響を及ぼす不具合もある。
【特許文献１】特開２００４−２３６７７１号公報
【考案の開示】
【考案が解決しようとする課題】
【０００５】
本考案は、前記問題点に鑑みてなされたものであり、使用寿命が長く、振動吸収構造の製造手間を大幅に省くことができるゴルフクラブヘッドを提供することを目的とする。
【課題を解決するための手段】
【０００６】
前記目的を達成するために、本考案は、ヘッド本体の打球する側のフェース部が開口してフェース板により被覆されてなる中空構造のクラブヘッドにおいて、前記フェース板は、複数のプレートを密着して重ねてなり、且つ前記複数のプレートにおける前記ヘッド本体の内側のプレートには打球側のプレート側に向かって肉厚が薄くなって窪んだ凹孔が設けられ、前記凹孔には打球の衝撃を緩衝するための振動吸収材が満たされていることを特徴とするゴルフクラブヘッドを提供する。
【０００７】
そして、前記フェース板は打球側のフロントプレートと内側のリアプレートとにより密着して重ねてなり、前記リアプレートには前記凹孔が所定の間隔をおいて複数仕切られてなり、前記振動吸収材が前記複数の凹孔の各々に対応して設けられることが好ましい。
【０００８】
前記複数の凹孔はまた、前記リアプレートのセンター突起と該センター突起から所定の間隔をおいた環状リブと該センター突起からの放射状リブとにより仕切られてなり、且つ、前記リアプレートのセンター突起としての仕切りは前記フェース部におけるスイートスポットになる部位に対応して設けられており、前記リアプレートの放射状リブは互いに直角及び斜めに交わった放射状をなす複数の仕切りリブとして形成されている。
【０００９】
また、前記構成において、前記フロントプレートのリアプレート側の後面から前記リアプレートを取り囲むよう環状フランジが突出ており、前記リアプレートは前記仕切りリブに第１の定位部が設けられており、前記フロントプレートは前記第１の定位部に対応して該第１の定位部と互いに結合することができるように構造される第２の定位部が設けられているようにしてもよい。
【００１０】
さらに、前記リアプレートが挟持されるようにエンドキャップが前記フロントプレートと一体に設けられてなるようにしてもよい。
【００１１】
さらに、前記リアプレートとして、マグネシウム合金、アルミニウム−マグネシウム合金、アルミニウム合金、アルミニウム−スカンジウム合金のいずれか１の合金によりつくられていることが好ましい。
【００１２】
また、前記振動吸収材として、熱可塑性ポリウレタン、シリコーン、ゴム、軟質金属のいずれかにより作られていることが好ましい。
【考案の効果】
【００１３】
本考案のクラブヘッドによれば、液体の粘性によらずに簡単な振動吸収構造により打球による振動を緩衝する機能を果すことができ、且つ従来例の振動吸収構造の破損による液体漏れもなくなり、使用寿命を延ばすことができる。
【００１４】
また、本考案のクラブヘッドでは、振動吸収手段として複数のプレートにより重ねてなったフェース板における前記ヘッド本体の内側のプレートに設けられた凹孔に熱可塑性ポリウレタン、シリコーンなどの振動吸収材を満たしている構成をするので、打球時の振動、衝撃を直接その構成をそなえた振動吸収手段により緩衝することができる。
【００１５】
また、振動、衝撃の緩衝効果とゴルフクラブヘッド自体の強度とを両立させるよう、リアプレートに所定の仕切りをおいて凹孔が設けられることができ、振動吸収構造の製造手間を大幅に低減することができる。
【００１６】
また、振動吸収構造において振動吸収材として固体の緩衝材が用いられるので、簡単に装着されることができ、製造手間は少なくコストの低減にもつながる。
【考案を実施するための最良の形態】
【００１７】
以下、図面を参照しながら本考案の実施形態を説明する。
図１は、本考案にかかるゴルフクラブヘッドの第１の実施形態の分解斜視図である。図２は、図１に対応して示す縦断面図である。図示のように、このクラブヘッドは、ヘッド本体５の打球する側のフェース部５１が開口して例えば溶接の方式でフェース板６により被覆されてなる中空構造のウッド型のものである。
【００１８】
フェース板６は、ほぼ同じサイズである打球側のチタン合金製のフロントプレート６１とヘッド本体５の内側のマグネシウム合金製のリアプレート６２とにより、接着剤で密着して重ねてなっている。フロントプレート６１とリアプレート６２とを一体にさせる方式は特に限定されないが、前記接着剤を利用する方式のほか、はんだつけ、螺接（後述）などの通常の結合方式を用いることができる。また、本実施形態ではリアプレート６２の材質としてマグネシウム合金が用いられているが、アルミニウム−マグネシウム合金、アルミニウム合金、アルミニウム−スカンジウム合金などが用いられてもよい。
【００１９】
また、リアプレート６２の内側の後面６２２にはフロントプレート６１側に向かって肉厚が薄くなって窪んだ凹孔６２３が設けられ、凹孔６２３には打球の衝撃を緩衝するための振動吸収材６３が満たされている。凹孔６２３が所定の間隔をおいて複数仕切られてなり、振動吸収材６３が複数の凹孔６２３の各々に対応して設けられている。
【００２０】
振動吸収材６３として、振動吸収機能を果たすことができるなら、特に限定されないが、熱可塑性ポリウレタン（ＴＰＵ）、シリコーン、ゴム、軟質金属（アルミニウム、マグネシウム、銅、亜鉛、錫など）などによりつくられることができ、本実施形態ではシリコーンが用いられている。
【００２１】
本実施形態では、複数の凹孔６２３は、リアプレート６２のフェース部５１におけるスイートスポットになる部位に対応して設けられたセンター突起６２４と、該センター突起６２４から所定の間隔をおいた環状リブ６２５と、リアプレート６２の周縁に沿って延伸している周縁リム６２６、該センター突起６２４からの放射状リブ６２７とにより仕切られてなる。ここで、放射状リブ６２７は、互いに直角に交わった一対のリブ状を有する仕切りリブ６２７ａ、６２７ｂとして形成されている。
【００２２】
前記構成により、振動吸収材６３による振動、衝撃の緩衝効果とリアプレート６２の仕切りリブの補強によるクラブヘッド全体の耐衝撃強度増加とを両立させることができる。
【００２３】
図３は、第１の実施形態の変形例の分解斜視図である。本変形例の構造はほぼ第１の実施形態のと同じだが、その相違点は、リアプレート６２Ａの放射状リブ６２７Ａは互いに直角に交わった一対のリブ状を有する仕切りリブ６２７ｃ、６２７ｄと、互いに斜めに交わって放射状をなす上、仕切りリブ６２７ｃ、６２７ｄより細い４のリブ状仕切りリブ６２７ｅとして形成されていることにある。
【００２４】
前記構成により、振動吸収材６３による振動、衝撃の緩衝効果とリアプレート６２Ａの仕切りリブの補強によるクラブヘッド全体の耐衝撃強度増加とを両立させることができる。
【００２５】
なお、リアプレート６２Ａの放射状リブ６２７Ａの仕切りリブ６２７ｅは前述の構成に限らず、打球時に実際に応力の生じる状態に応じて適当にそれらの間隔、幅、配置を決めればよい。
【００２６】
前記実施形態、変形例のクラブヘッドは、ウッド型のに適用されたのを示しているが、これに限らず、図４、５に示すように、それぞれヘッド本体７の打球する側のフェース部７１が開口してフェース板６Ｂにより被覆されてなる中空構造のパター型、及びヘッド本体８の打球する側のフェース部８１が開口してフェース板６Ｃにより被覆されてなる中空構造のアイアン型のものに適用されることもできる。
【００２７】
図６は、本考案にかかるゴルフクラブヘッドの第２の実施形態の分解斜視図である。図７は、図６に対応して示す部分縦断面図。図示に示すように、第２の実施形態の構造はほぼ第１の実施形態のと同じだが、その相違点は、リアプレート６２Ｄが前記のようにフロントプレート６１Ｄと同じサイズではなく、フロントプレート６１Ｄより小さいサイズを有し、またフロントプレート６１Ｄとリアプレート６２Ｄとが密着して重ねてなる方式は螺接により行われていることにある。
【００２８】
詳細には、フロントプレート６１Ｄのリアプレート６２Ｄ側の後面６１２Ｄからリアプレート６２Ｄを取り囲むよう環状フランジ６１３Ｄが突出ており、リアプレート６２Ｄは第１の定位部として仕切りリブ６２７ｆ、６２７ｇをフロントプレート６１Ｄ側に向かって４のスクリュー６２９のついた定位孔６２８が貫通して設けら、フロントプレート６１Ｄは４の定位孔６２８に対応してそれと互いに結合することができるように構造される第２の定位部として孔内にねじ付きの立孔６１４Ｄがリアプレート６２Ｄ側に垂直突出ている。
【００２９】
また、フロントプレート６１Ｄとリアプレート６２Ｄとが密着して重ねてなるのは、リアプレート６２Ｄがフロントプレート６１Ｄにおける環状フランジ６１３Ｄに取り囲まれるように、立孔６１４Ｄがそれぞれ定位孔６２８内に挿入して孔内のねじでスクリュー６２９とねじ合って互いに結合することによって行われている。
【００３０】
図８は、本考案にかかるゴルフクラブヘッドの第３の実施形態の分解斜視図である。図９は、図８に対応して示す部分縦断面図。図示に示すように、第３の実施形態の構造はほぼ第２の実施形態のと同じだが、その相違点は、前記螺接の方式が違ったことにある。
【００３１】
詳細には、リアプレート６２Ｅは仕切りリブ６２７ｈ、６２７ｉの端面をセンター突起６２４Ｅ側に向かって４の孔内にねじ付きの定位孔６３０が設けられ、フロントプレート６１Ｅにおける環状フランジ６１３Ｅは端面を４の定位孔６３０に対応して第１の貫通孔６１３ａが貫通して設けられ、更にリアプレート６２Ｅが挟持されるようにエンドキャップ６４がフロントプレート６１Ｅと一体に設けられてなり、該エンドキャップ６４は端面を第１の貫通孔６１３ａに対応してスクリュー６４２のついた第２の貫通孔６４１が貫通して設けられている。
【００３２】
また、フロントプレート６１Ｅとリアプレート６２Ｅの密着して重ねてなるのは、リアプレート６２Ｅが環状フランジ６１３Ｅに取り囲まれ且つエンドキャップ６４によりリアプレート６２Ｅと環状フランジ６１３Ｅとに覆われるように、スクリュー６４２が順に第２の貫通孔６４１、第１の貫通孔６１３ａそして定位孔６３０内に挿入して定位孔６３０内のねじとねじ合って互いに結合することによって行われている。
【００３３】
以上、本考案の好適な実施形態について説明したが、本考案は前記実施形態に限定して狭義に解釈されるものではなく、即ち本考案の精神の範囲内において種々の変形や変更が可能である。
【産業上の利用可能性】
【００３４】
以上説明したように、本考案のゴルフクラブヘッドによれば、使用寿命が長く、振動吸収構造の製造手間を大幅に省き、コストを低減させることができるとともに、振動、衝撃の緩衝効果とクラブヘッド自体の強度とを両立させることができる。
【図面の簡単な説明】
【００３５】
【図１】本考案にかかるゴルフクラブヘッドの第１の実施形態の分解斜視図。
【図２】図１に対応して示す縦断面図。
【図３】前記第１の実施形態の変形例の分解斜視図。
【図４】本考案にかかるゴルフクラブヘッドがパター型に適用された例を示す分解斜視図。
【図５】本考案にかかるゴルフクラブヘッドがアイアン型に適用された例を示す分解斜視図。
【図６】本考案にかかるゴルフクラブヘッドの第２の実施形態の分解斜視図。
【図７】図６に対応して示す部分縦断面図。
【図８】本考案にかかるゴルフクラブヘッドの第３の実施形態の分解斜視図。
【図９】図８に対応して示す部分縦断面図。
【図１０】従来ゴルフクラブヘッドの一例の分解斜視図。
【図１１】図１０に対応して示す縦断面図。
【図１２】従来ゴルフクラブヘッドの他の例の縦断面図。
【符号の説明】
【００３６】
５、７、８  ヘッド本体
５１、７１、８１  フェース部
６、６Ａ、６Ｂ、６Ｃ、６Ｄ、６Ｅ  フェース板
６１、６１Ａ、６１Ｂ、６１Ｃ、６１Ｄ、６１Ｅ  フロントプレート
６１２Ｄ  フロントプレートのリアプレート側の後面
６１３Ｄ、６１３Ｅ  環状フランジ
６１３ａ  第１の貫通孔
６１４Ｄ  立孔
６２、６２Ａ、６２Ｂ、６２Ｃ、６２Ｄ、６２Ｅ  リアプレート
６２２  リアプレートの内側の後面
６２３  凹孔
６２４、６２４Ａ、６２４Ｅ  センター突起
６２５、６２５Ａ  環状リブ
６２６、６２６Ａ  周縁リム
６２７、６２７Ａ  放射状リブ
６２７ａ、６２７ｂ、６２７ｃ、６２７ｄ、６２７ｅ、６２７ｆ、６２７ｇ、６２７ｈ、６２７ｉ  （放射状リブの）仕切りリブ
６２８  定位孔
６２９  スクリュー
６３０  定位孔
６３  振動吸収材
６４  エンドキャップ
６４１  第２の貫通孔
６４２  スクリュー
【図１】
0003126138.tif 000003
【図２】
0003126138.tif 000004
【図３】
0003126138.tif 000005
【図４】
0003126138.tif 000006
【図５】
0003126138.tif 000007
【図６】
0003126138.tif 000008
【図７】
0003126138.tif 000009
【図８】
0003126138.tif 000010
【図９】
0003126138.tif 000011
【図１０】
0003126138.tif 000012
【図１１】
0003126138.tif 000013
【図１２】
0003126138.tif 000014